(57)【要約】【課題】コストの削減、小型コンパクト化および生産効率の向上を図り得る遊技機用入賞装置を提供する。【解決手段】本発明は、遊技機に設けられる遊技機用入賞装置を対象とする。入賞スペース１０を有する背面板１と、導光板によって構成され、基端側が背面板１の前面に回動自在に取り付けられた遊技球誘導部材２と、背面板１の裏面側に配置された光源３と、背面板１に設けられた透光部１６と、遊技球誘導部材２の基端側裏面に設けられた入光部２５と、入光部２５から導入された光Ｌを反射して遊技球誘導部２材内に沿って先端側に向けて誘導するための第１反射手段２１と、第１反射手段２１によって反射された光Ｌを反射して遊技球誘導部材２の前面から出射するための第２反射手段２２とを備え、背面板１の透光部１６に、光源３から照射された光Ｌを遊技球誘導部材２の入光部２５に集めるための集光レンズ１５が一体に形成されている。【選択図】図３
2018110647.tif 000002
【特許請求の範囲】
【請求項１】
遊技機に設けられる遊技機用入賞装置であって、
入賞スペースを有する背面板と、
導光板によって構成され、基端側が前記背面板の前面に回動自在に取り付けられることにより前記入賞スペースに遊技球を誘導する誘導状態と誘導しない非誘導状態との間で可動する遊技球誘導部材と、
前記背面板の裏面側に前記遊技球誘導部材の基端側に対応して配置された光源と、
前記背面板に前記光源に対応して設けられ、かつ前記光源から照射された光を前方に通過させる透光部と、
前記遊技球誘導部材の基端側裏面に前記透光部に対応して設けられ、かつ前記透光部を通過した光を前記遊技球誘導部材内に導入するための入光部と、
前記入光部から導入された光を反射して前記遊技球誘導部材内に沿って先端側に向けて誘導するための第１反射手段と、
前記第１反射手段によって反射された光を反射して前記遊技球誘導部材の前面から出射するための第２反射手段と、を備え、
前記背面板の透光部に、前記光源から照射された光を前記遊技球誘導部材の入光部に集めるための集光レンズが設けられるとともに、その集光レンズが前記背面板と一体に形成されていることを特徴とする遊技機用入賞装置。
【請求項２】
前記遊技球誘導部材に前記光源に対応して、遮光性を有する前面カバーが設けられている請求項１に記載の遊技機用入賞装置。
【請求項３】
前記光源は、正面視において誘導状態および非誘導状態のいずれの状態においても前記遊技球誘導部材の入光部に対応する位置に配置されている請求項１または２に記載の遊技機用入賞装置。
【請求項４】
前記遊技球誘導部材は、板状の本体と、その本体の外周縁部に沿って設けられ、かつ前記本体に対し直交する方向に延びる外周枠とを有する断面略Ｈ型の形状に形成されている請求項１〜３のいずれか１項に記載の遊技機用入賞装置。
【請求項５】
請求項１〜４のいずれか１項に記載の入賞装置が盤面に組み付けられることを特徴とする遊技機。
【発明の詳細な説明】
【技術分野】
【０００１】
この発明は、パチンコホールに設置されるパチンコ機等の遊技機に設けられる遊技機用入賞装置および遊技機に関する。
【背景技術】
【０００２】
従来の遊技機において、所定の条件が成立した際に、羽根、翼片等と称される遊技球誘導部材が回動する遊技機用入賞装置が周知である。例えば電動チューリップ等と称される入賞装置は、入賞スペースを開閉する羽根が設けられ、チャッカーに遊技球が入ったり通過したりすると、羽根駆動手段の駆動によって羽根が自動的に駆動して入賞スペースが開閉するようになっている。
【０００３】
このようなタイプの入賞装置において下記特許文献１，２等に示すものでは、その背面側にＬＥＤ等の光源（発光手段）を配置しておき、羽根が開閉している際等に光源を発光させて羽根やその周辺を輝かせることによって、趣向性の向上を図るようにしている。
【先行技術文献】
【特許文献】
【０００４】
【特許文献１】特許第４２２２７５０号
【特許文献２】特開２００５−４０３３６号
【発明の概要】
【発明が解決しようとする課題】
【０００５】
ところで、上記特許文献１，２に示すように、羽根が光るように構成された従来の遊技機における入賞装置においては、羽根の明るさをより明るくすれば趣向性を一層向上させることができる。しかしながら、羽根の明るさを増大させるには、光量が大きい光源が必要となり、このような光源はコストも高く、サイズも大きくなるため、装置全体のサイズも大きくなり、装置の小型コンパクト化を図ることが困難となってしまうという課題があった。一方、光量が小さい光源を用いると、コストの削減および装置の小型コンパクト化を図ることができるが、羽根の明るさを十分に明るくできず、趣向性の低下を来すおそれがあるという課題があった。
【０００６】
またこのような遊技機用入賞装置においては、多数の細かい部品が集約されて組み立てられるものであるため、部品点数が増大してしまい、組立作業性の低下を来してしまう。このため部品点数の削減等によって組付作業性を向上させることも切望されている。
【０００７】
この発明は、上記の課題に鑑みてなされたものであり、コストの削減、小型コンパクト化および組付作業性の向上を図りつつ、羽根等の遊技球誘導部材を十分な明るさで輝かせることができる電動チューリップ等の遊技機用入賞装置および遊技機を提供することを目的とする。
【課題を解決するための手段】
【０００８】
上記課題を解決するため、本発明は、以下の手段を備えるものである。
【０００９】
［１］遊技機に設けられる遊技機用入賞装置であって、
入賞スペースを有する背面板と、
導光板によって構成され、基端側が前記背面板の前面に回動自在に取り付けられることにより前記入賞スペースに遊技球を誘導する誘導状態と誘導しない非誘導状態との間で可動する遊技球誘導部材と、
前記背面板の裏面側に前記遊技球誘導部材の基端側に対応して配置された光源と、
前記背面板に前記光源に対応して設けられ、かつ前記光源から照射された光を前方に通過させる透光部と、
前記遊技球誘導部材の基端側裏面に前記透光部に対応して設けられ、かつ前記透光部を通過した光を前記遊技球誘導部材内に導入するための入光部と、
前記入光部から導入された光を反射して前記遊技球誘導部材内に沿って先端側に向けて誘導するための第１反射手段と、
前記第１反射手段によって反射された光を反射して前記遊技球誘導部材の前面から出射するための第２反射手段と、を備え、
前記背面板の透光部に、前記光源から照射された光を前記遊技球誘導部材の入光部に集めるための集光レンズが設けられるとともに、その集光レンズが前記背面板と一体に形成されていることを特徴とする遊技機用入賞装置。
【００１０】
［２］前記遊技球誘導部材に前記光源に対応して、遮光性を有する前面カバーが設けられている前項１に記載の遊技機用入賞装置。
【００１１】
［３］前記光源は、正面視において誘導状態および非誘導状態のいずれの状態においても前記遊技球誘導部材の入光部に対応する位置に配置されている前項１または２に記載の遊技機用入賞装置。
【００１２】
［４］前記遊技球誘導部材は、板状の本体と、その本体の外周縁部に沿って設けられ、かつ前記本体に対し直交する方向に延びる外周枠とを有する断面略Ｈ型の形状に形成されている前項１〜３のいずれか１項に記載の遊技機用入賞装置。
【００１３】
［５］前項１〜４のいずれか１項に記載の入賞装置が盤面に組み付けられることを特徴とする遊技機。
【発明の効果】
【００１４】
発明［１］の遊技機用入賞装置によれば、導光板としての羽根の入光部に対応して集光レンズが配置され、光源から照射される光が集光レンズで集められて遊技球誘導部材の入光部に導入されるため、光源の光量が少なくとも遊技球誘導部材を十分な明るさで輝かせることができる。このため光源として小型かつ廉価なものを使用することができ、コストの削減および入賞装置全体の小型コンパクト化を図りつつ、遊技球誘導部材を十分な明るさで輝かせることができる。さらに集光レンズは背面板に一体に形成されているため、集光レンズを単独で別途組み付ける場合と比較して、部品点数や組付工数を減少できて、組付作業性を向上させることができる。
【００１５】
発明［２］の遊技機用入賞装置によれば、光源の前方側を覆うように遮光性の前カバーが配置されているため、光源から照射される光が遊技者によって直接視認されるような不具合が生じるのを防止でき、球技意欲の低下等を確実に防止することができる。
【００１６】
発明［３］の遊技機用入賞装置によれば、光源が、誘導状態および非誘導状態のいずれの状態においても遊技球誘導部材の入光部に対応する位置に配置されているため、光源の数が少なくとも例えば、光源がたった１つだけであっても、誘導状態および非誘導状態のいずれの状態でも遊技球誘導部材を輝かせることができ、この点においても部品点数を削減できて、組付作業性を一層向上させることができる。
【００１７】
発明［４］の遊技機用入賞装置によれば、遊技球誘導部材を断面Ｈ型に形成しているため、遊技球誘導部材に十分な強度を確保でき、遊技球誘導部材に遊技球が衝突して破損してしまうような不具合を防止でき、耐久性を向上させることができる。
【００１８】
発明［５］の遊技機によれば、上記発明の入賞装置が採用されているため、上記と同様の効果を得ることができる。
【図面の簡単な説明】
【００１９】
【図１】図１はこの発明の実施形態である遊技機用入賞装置を示す斜視図である。
【図２】図２は実施形態の入賞装置を前カバーを取り外した状態で示す斜視図である。
【図３】図３は実施形態の入賞装置の主要部品を分解して裏面側から見た状態の斜視図である。
【図４Ａ】図４Ａは実施形態の前カバー抜きの入賞装置において羽根を閉じた状態で示す正面図である。
【図４Ｂ】図４Ｂは実施形態の前カバー抜きの入賞装置において羽根を開いた状態で示す正面図である。
【図５】図５は実施形態の入賞装置における背面板を示す図であって、図（ａ）は正面図、図（ｂ）は背面図である。
【図６】図６は実施形態の入賞装置における羽根を示す背面図である。
【図７Ａ】図７Ａは実施形態において羽根が閉じた状態の入賞装置の光路を説明するための断面図であって、図４ＡのＡ−Ａ線断面に相当する断面図である。
【図７Ｂ】図７Ｂは実施形態において羽根が開いた状態の入賞装置の光路を説明するための断面図であって、図４ＢのＢ−Ｂ線断面に相当する断面図である。
【発明を実施するための形態】
【００２０】
図１および図２はこの発明の実施形態である遊技機用入賞装置を示す斜視図、図３はその入賞装置を分解して裏面側から見た斜視図、図４Ａおよび図４Ｂはその入賞装置の正面図（前面図）である。
【００２１】
これらの図に示すように、本実施形態の遊技機用入賞装置は、電動チューリップ（電チュー）、羽根モノ、大入賞口、電動役物等と称されるものであり、パチンコ機としての遊技機における遊技盤の盤面に組み付けられる。本実施形態の入賞装置は、主要部品として、背面板１と、遊技球誘導部材としての羽根２と、光源としてのＬＥＤ３と、前面カバー４と、駆動手段等を含む後部ユニット５とを備えている。
【００２２】
図１〜図５に示すように背面板１は、透明な硬質合成樹脂の成形品によって構成されている。背面板１の前面側には、略中央の入賞スペース１０、下側の取付用凹部１３および外周の取付部１９を除いた領域が前方に隆起するようにして台部１２が形成されている。さらに背面板１における入賞スペース１０の下部には遊技球が挿通可能な貫通孔１１が形成されている。
【００２３】
またこの背面板１においては、入賞スペース１０の他側部（左側部）は開放されており、その開放部より入賞スペース１０内に進入した遊技球は、貫通孔１１を通過して所定の箇所に排出されるようｎなっている。なお遊技中において、貫通孔１１を遊技球が通過した際には、図示しない遊技球検出器によって、入賞（入球）が検出されるようになっている。
【００２４】
背面板１における貫通孔１１の他側部（左側部）には、後に詳述する遮光板４の羽根取付軸４７を支持するための軸支持孔１４が形成されている。さらに背面板１における軸支持孔１４の他側部（左側部）には、軸支持孔１４を略円弧中心とする円弧状（三日月状）の集光レンズ１５が背面板１に対し一体に形成されている。
【００２５】
図７Ａおよび図７Ｂは入賞装置の光路を説明するための断面図であって、図４ＡのＡ−Ａ線断面および図４ＢのＢ−Ｂ線断面にそれぞれ相当する断面図である。両図に示すように背面板１に一体に形成される集光レンズ１５は、裏面側（後方側）に突出する凸球面形状の凸レンズによって構成されており、後方から照射される光が集められて後述の入光部２５に入射するようになっている。
【００２６】
なお、背面板１は既述した透明な素材によって構成されており、全体が透光性を備えているが、本実施形態においては特に、背面板１における集光レンズ１５が透光部１６を構成するものである。換言すると本発明において、背面板１は、集光レンズ１５（透光部１６）以外の部分を遮光性の部材によって構成するようにしても湯追。
【００２７】
図６は羽根２の背面図である。図１〜図４および図６に示すように羽根２は、透明な硬質合成樹脂の成形品によって構成されている。羽根２は、正面側（前方側）または裏面側（後方側）から見た状態（正面視状態または裏面視状態）において、先端側が基端側よりも細く形成されたくちばし状に形成されている。本実施形態において、羽根２は、遊技機の盤面に対し平行に配置される略板状の羽根本体２０と、羽根本体２０の外周縁部に沿って連続して設けられ、かつ羽根本体２０に対し直交する方向に延びる外周枠２６とを備え、断面略Ｈ型に形成されている（図７Ａおよび図７Ｂ参照）。
【００２８】
また羽根２には、その基端側に前後方向に貫通する軸挿通孔２７が形成されている。さらに羽根２には、軸挿通孔２７よりもさらに基端側において後方に突出するように棒状の操作レバー２８が形成されている。
【００２９】
本実施形態において羽根２の少なくとも羽根本体２０は導光板によって構成されている。なお導光板としての羽根本体２０の詳細な構成については後に説明する。
【００３０】
図１および図３に示すように前カバー４は、前面板４０と、前面板４０の裏面に上記羽根２の軸挿通孔２７に対応して配置され、かつ後方に突出するように形成される羽根取付軸４７と、前面板４０の裏面に上記羽根２の取付用凹部１３に対応して配置され、かつ後方に突出するように形成される取付用凸部４３とを備えている。
【００３１】
本実施形態において、前カバー４は、光の透過を禁止する不透明な硬質合成樹脂の成形品によって構成されている。従って前カバー４の前面板４０は、光の透過を禁止する遮光板として機能する。さらに前カバー４の羽根取付軸４７は、羽根２の回転軸として機能する。
【００３２】
なお本実施形態においては、前カバー４の全体を遮光性の部材によって構成しているが、本発明においては、前カバー４の少なくとも前面板４０の部分を遮光性の部材によって構成すれば良い。
【００３３】
そして背面板１の表面側に、羽根２および前カバー４が以下のように取り付けられる。すなわち羽根２の軸挿通孔２７を背面板１の軸支持孔１４に対応させ、かつ羽根２の操作レバー２８を背面板１の貫通孔１１に通して裏面側に突出させるようにして、羽根２を背面板１の表面側に配置した状態で、前カバー４の羽根取付軸４７を羽根２の軸挿通孔２７に挿通して羽根取付軸４７の先端を背面板１の軸支持孔１４に支持させ、かつ前カバー４の取付用凸部４３を背面板１の取付用凹部１３内に嵌め込む。その状態で、背面板１の裏面側からねじ（図示省略）を背面板１に挿通して前カバー４の取付用凸部４３にねじ込んで固定することにより、背面板１に前カバー４が組み付けられる同時に、羽根２が前カバー４を介して背面板１に組み付けられる。この組付状態においては、羽根２は前カバー４の羽根取付軸４７に回転自在に取り付けられて、図４Ａに示すように羽根２が閉じた状態と、図４Ｂに示すように羽根２が閉じた状態との間で開閉自在（回動自在）に構成されている。
【００３４】
また本実施形態においては、羽根２が閉じた状態では羽根２の先端が、背面板１の台部１２における入賞スペース１０の開口縁部上端に当接して係止することにより、羽根２によって入賞スペース１０が完全に閉塞されるようになっている。さらに羽根２が開いた状態では羽根２の基端部が、背面板１の台部１２における入賞スペース１０の開口縁部下端に当接して係止することにより、羽根２の開き角度が制限されるようになっている。
【００３５】
ここで本実施形態においては、図４Ａに示すように羽根２が閉じた状態が、遊技球を入賞スペース１０に誘導しない非誘導状態に相当し、図４Ｂに示すように羽根２が開いた状態が、遊技球を入賞スペース１０に誘導する誘導状態に相当する。
【００３６】
なお本実施形態においては、背面板１の裏面側には、後部ユニット５（図１および図２参照）が取り付けられており、このユニット５内には、アクチュエータ等の羽根２を駆動する羽根駆動手段と、その羽根駆動手段の駆動力を羽根２の操作レバー２８に伝達する動力伝達機構等が収容されている。そして遊技中に遊技球がチャッカーに入ったりチャッカーを通過する等して、所定の条件が成立した際に、羽根駆動手段が駆動してその駆動力が動力伝達機構を介して操作レバー２８に伝達することにより、羽根２が自動的に開閉するようになっている。
【００３７】
図３に示すように背面板１の裏面側における貫通孔１１の側方には、ＬＥＤ基板３０が配置されている。すなわちＬＥＤ基板取付用の部材３５が背面板１にねじ（図示省略）によって固定されるとともに、その取付部材３５の前面にＬＥＤ基板３０が取り付けられている。図３、図４Ａおよび図４Ｂに示すようにこのＬＥＤ基板３０の前面には光源としてのＬＥＤ（発光ダイオード）３が取り付けられており、そのＬＥＤ３から前方に向けて光を照射できるようになっている。
【００３８】
図７Ａおよび図７Ｂに示すように本実施形態においてＬＥＤ３は、背面板１の集光レンズ１５（透光部１６）に対応して配置されており、ＬＥＤ３から照射された光Ｌは後に詳述するように、集光レンズ１５（透光部１６）を透過して背面板１の前面側に出射されるようになっている。
【００３９】
なお図１および図３に示すように正面視状態においてＬＥＤ３の前方には上記前カバー４の前面板４０が配置されている。このようにＬＥＤ３は前面板４０によって前方側が覆われているため、ＬＥＤ３前方の背面板１が透明であっても、ＬＥＤ３からの照射光を前方から直接視認できないようになっている。
【００４０】
以上のように背面板１に、羽根２、ＬＥＤ３  前カバー４および後部ユニット５が取り付けられることにより、本実施形態の入賞装置が組み立てられる。そしてその入賞装置が遊技機の盤面の所定位置に配置された状態で背面板１における外周の取付部１９がねじ等の固着具を介して遊技盤に固定されることにより、入賞装置が遊技機に組み付けられるものである。
【００４１】
次に羽根２の羽根本体２０の構成について詳細に説明する。羽根本体２０は既述した通り導光板によって構成されている。図６、図７Ａおよび図７Ｂに示すように羽根本体２０の基端部２４は後方に突出するように形成されており、その基端部２４の裏面が光Ｌを羽根本体内部に導入するための入光部２５として構成されている。この入光部２５は、背面板１の集光レンズ１５、つまりＬＥＤ３に対応して配置されている。従ってＬＥＤ３から照射されて背面板１の集光レンズ１５を通過した光Ｌは羽根本体２０の入光部２５から羽根本体２０の基端部２４内に導入されるようになっている。
【００４２】
また羽根本体２０の入光部２５に対応する基端部２４の前面は、第１反射面２１として構成されている。この第１反射面２１は、前後方向の軸および羽根本体２０（羽根２）の長さ方向の軸に対しそれぞれ略４５°の角度をなす傾斜面によって構成されている。従って入光部２５から羽根本体２０の基端部２４内に入射した光Ｌは、第１反射面２１によって反射して羽根本体２０（羽根２）のほぼ長さ方向に沿って先端側に向けて誘導されるようになっている。なお本実施形態においては、第１反射面２１は平坦面ではなく少し湾曲した凹面によって構成されており、光Ｌを羽根本体２０内において効率良く導光させるようにしている。
【００４３】
また羽根本体２０の裏面側における基端部２４（入光部２５）を除いた領域には、多数の微小凹部からなる第２反射面２２が形成されている。この第２反射面２２における各微小凹部には、羽根本体２０（羽根２）の長さ方向の軸に対し４５°の角度をなす傾斜面が形成されている。従って上記第１反射面２１によって反射して羽根本体２０の長さ方向に沿って導かれた光Ｌは、第２反射面２２で反射して羽根本体２０の前面からほぼ前方に向けて出射するようになっている。
【００４４】
ここで本実施形態においては、第１反射面２１によって第１反射手段が構成されるとともに、第２反射面２２によって第２反射手段が構成されている。
【００４５】
なお、ＬＥＤ３は図７Ａに示すように羽根２が閉じている状態であっても、図７Ｂに示すように羽根２が開いている状態であっても共に正面視において、羽根２の入光部２５に対応する位置に配置されている。
【００４６】
以上の構成においては、羽根２が開いていようとも閉じていようとも、ＬＥＤ３から照射された光Ｌは既述した通り導光板としての羽根本体２０内を通って前方に出射されることにより、羽根自体が発光しているような形態で光り輝くようになる。
【００４７】
本実施形態においては、遊技中に遊技球がチャッカーに入る等して、所定の条件が成立した際に羽根２が開閉し、その開閉時に羽根２が光るように構成されている。このため羽根２が光り輝きながら開閉することによって、趣向性が向上し遊技者は高揚感や爽快感が得られ、球技意欲が高められる。
【００４８】
また本実施形態においては、導光板としての羽根本体２０の入光部２５に対応する位置に集光レンズ１５を配置して、ＬＥＤ３から出射される光Ｌを集光レンズ１５で集めて入光部２５に導入するようにしているため、ＬＥＤ３の光量が少なくとも羽根２を十分な明るさで輝かせることができる。従ってＬＥＤ３として小型かつ廉価なものを使用することができ、コストの削減および入賞装置全体の小型コンパクト化を図ることができる。
【００４９】
その上さらに、本実施形態においては、集光レンズ１５を背面板１に一体に形成しているため、集光レンズ１５を単独で別途組み付ける場合と比較して、部品点数や組付工数を減少できて、組付作業性を向上させることができる。
【００５０】
また本実施形態において、ＬＥＤ３は羽根２が閉じている状態であっても開いている状態であっても、羽根２の入光部２５に対応して配置されているため、たった１つのＬＥＤ３によって、開いている状態であっても閉じている状態であっても羽根２を輝かせることができる。このようにＬＥＤ３を１つだけ備えれば良く、この点においても部品点数を削減できて、組付作業性を一層向上させることができる。
【００５１】
ここで本実施形態の入賞装置においては、羽根２が閉じた状態に比べて、羽根２が開いた状態においてＬＥＤ３から入光部２５に導入される光Ｌの光量が多くなるように構成されている。このため、開いた状態の羽根２の方が閉じた状態の羽根２よりも一層明るく輝くようになっている。従って開閉時に羽根２が輝くだけでなく、明るさの強弱の変化も加わり、より一層趣向性を向上させることができる。しかも羽根２が開いた状態、つまり入賞スペース１０に遊技球が進入し易い状態で羽根２が強く光り輝くため、遊技者の高揚感をより一層高めることができる。
【００５２】
また本実施形態においては、透明な背面板１にＬＥＤ３の前方側を覆うように遮光性の前カバー４の前面板４０が配置されているため、ＬＥＤ３から照射される光のうち背面板１や羽根２を通過して直接前方に向かう光は、前面板４０によって遮蔽されることにより、ＬＥＤ３から球技機の前方に直接光が出射されるのを防止することができる。このため遊技者がＬＥＤ３の光を直接視認することによって違和感を覚えるのを防止でき、球技意欲が低下してしまうような不具合が発生するのを確実に防止することができる。
【００５３】
また本実施形態においては、羽根２を断面Ｈ型に形成しているため、羽根自体に十分な強度を確保することができる。このため羽根２に遊技球が衝突して破損してしまうような不具合を有効に防止でき、耐久性を向上させることができる。
【００５４】
なお本発明は上記の実施形態のみに限定されるものではなく、本発明の要旨を逸脱しない限り、構成の付加、省略、置換および変更等を適宜行うことができる。
【産業上の利用可能性】
【００５５】
この発明の遊技機用入賞装置は、パチンコホール等の遊技場に設置されるパチンコ機に好適に採用することができる。
【符号の説明】
【００５６】
１：背面板
１５：集光レンズ
１６：透光部
２：羽根（遊技球誘導部材）
２０：羽根本体（本体）
２１：第１反射面（第１反射手段）
２２：第２反射面（第２反射手段）
２５：入光部
２６：外周枠
３：ＬＥＤ（光源）
４：前カバー
４０：前面板（遮光板）
Ｌ：光
【図１】
2018110647.tif 000003
【図２】
2018110647.tif 000004
【図３】
2018110647.tif 000005
【図４Ａ】
2018110647.tif 000006
【図４Ｂ】
2018110647.tif 000007
【図５】
2018110647.tif 000008
【図６】
2018110647.tif 000009
【図７Ａ】
2018110647.tif 000010
【図７Ｂ】
2018110647.tif 000011